(57)【特許請求の範囲】
【請求項１】
両袖部を有した柔軟素材で背部に紐引き出し孔を有するレインコート本体と、レインコート本体とは別体に形成した収納袋と両端をレインコート本体の両袖部に固定し中途部をレインコート本体の紐引き出し孔から外部に引き出した紐体よりなり、しかも紐体は収納袋の中を通って外部に引き出されているように構成したことを特徴とするレインコート。
【請求項２】
紐体の中途部を、レインコート本体の襟部に固定又は挿通した
ことを特徴とする請求項1に記載したレインコート。
【請求項３】
収納袋は、レインコート本体の背部に連設した
ことを特徴とする請求項１または２に記載したレインコート。
【請求項４】
レインコート本体の収納袋とは別体に総合収納袋を形成し最終的に紐体を操作することによりレインコート本体を収納した収納袋を総合収納袋中に収納保管するようにした
ことを特徴とする請求項１〜３の何れか１項に記載したレインコート。
【請求項５】
レインコート本体の背部に袋収納体を付着しレインコート本体の着用時には収納袋及び総合収納袋を収納可能にした
ことを特徴とする請求項１〜４の何れか１項に記載のレインコート。
【発明の詳細な説明】
【技術分野】
【０００１】
この発明は、レインコートに関する。
【背景技術】
【０００２】
レインコートとは、撥水性の素材で作られた衣服を雨によって濡らさないためのフード付きコートであり、ポンチョ型か上着とズボン２つに分かれた型がある。
レインコートを収納する際の使いづらさを解消するために、工夫された袋や鞄、レインコートが靴型に変わるといった物が発明されている（例えば、特許文献１乃至４）。
【先行技術文献】
【特許文献】
【０００３】
【特許文献１】特開２００５−３１４８４６号公報
【特許文献２】特開２０１４−２０５５２０号公報
【特許文献３】実用新案登録第３１７８３６８号
【特許文献４】実開昭５９−１２５９１１号公報
【発明の概要】
【発明が解決しようとする課題】
【０００４】
上記のとおりレインコートを収納する発明が開示されているが、レインコートが鞄になったり、レインコートを収納するための専用鞄や袋が発明されていたが、どれも構造が複雑で収納の使い方が難しかったり、かさばるという問題があった。
【０００５】
本発明は、斯かる事情に鑑みてなされたものであって、簡単でコンパクトに収納でき、次の使用時にすぐ使えるレインコートを提供することを目的とする。
【課題を解決するための手段】
【０００６】
請求項１の発明は、両袖部を有した柔軟素材で背部に紐引き出し孔を有するレインコート本体と、レインコート本体とは別体に形成した収納袋と両端をレインコート本体の両袖部に固定し中途部をレインコート本体の紐引き出し孔から外部に引き出した紐体よりなり、しかも紐体は収納袋の中を通って外部に引き出されているように構成したレインコートに関する。
【０００７】
また、請求項２の発明は、紐体の中途部を、レインコート本体の襟部に固定又は挿通している。
【０００８】
また、請求項３の発明は、収納袋をレインコート本体の背部に連設している。
【０００９】
また、請求項４の発明は、レインコート本体の収納袋とは別体に総合収納袋を形成し最終的に紐体を操作することによりレインコート本体を収納した収納袋を総合収納袋中に収納保管するようにしている。
【００１０】
また、請求項５の発明は、レインコート本体の背部に袋収納体を付着しレインコート本体の着用時には収納袋及び総合収納袋を収納可能にしている。
【発明の効果】
【００１１】
請求項１の発明によれば、両袖部を有した柔軟素材で背部に紐引き出し孔を有するレインコート本体と、レインコート本体とは別体に形成した収納袋と両端をレインコート本体の両袖部に固定し中途部をレインコート本体の紐引き出し孔から外部に引き出した紐体よりなり、しかも紐体は収納袋の中を通って外部に引き出されているように構成したので、次のような効果を有する。
レインコート本体の両袖部に固定し、レインコート本体の紐引き出し孔から外部に引き出した紐体を引っ張ることでレインコート本体をコンパクトにまとめて、収納袋内に簡単に収納できることで収納場所を選ばず、さらに鞄などを濡らさずに収納できる。一旦収納したレインコート本体を、次の使用時に収納袋から取り出して、すぐ使える。また、誰でも簡単に使える上、構造が単純なので商品化した際に今までのレインコート＋αで作れて、さらに低コストで作ることができる。
【００１２】
請求項２の発明の発明によれば、紐体の中途部を、レインコート本体の襟部に固定又は挿通しているので、レインコート本体を片付ける際に紐体を引っ張ると、先ず両袖部が肩の方向に縮み、さらに襟部と共に腰の方に縮み込ますことができる。
【００１３】
請求項３の発明によれば、収納袋をレインコート本体の背部に連設しているので、収納袋を別途持ち運ぶ手間が省ける効果がある。
【００１４】
請求項４の発明によれば、レインコート本体収納袋とは別体に総合収納袋を形成し最終的に紐体を操作することによりレインコート本体を収納した収納袋を総合収納袋中に収納保管するようにしているので、濡れたレインコート本体を収納袋、総合収納袋の順に二重に収納することで、本などと一緒にしてかばんに収納しても濡らす心配がない。
【００１５】
請求項５の発明によれば、レインコート本体の着用時にはレインコート本体の背部に袋収納体の中に収納袋及び総合収納袋を一体収納することができる。また、レインコード本体を片付ける際には、袋収納体の中から、一旦、収納袋及び総合収納袋を取り出して、紐体を引っ張ってレインコート本体を小さくした後に、収納袋、総合収納袋の順に収納することができる。
【図面の簡単な説明】
【００１６】
【図１】レインコートを示す模式図である。
【図２】レインコートの収納手順を示す図である。
【発明を実施するための形態】
【実施例】
【００１７】
この発明の実施例を図面に基づき詳説する。図１はレインコート収納袋を示す模式図であり、図２はレインコート収納袋の収納手順を示す図である。
【００１８】
図１に示すように、レインコート１は、次のような構造を備えている。
レインコート本体１０は、フード付きコートの構造を有しており、撥水性があって柔軟素材であり、そのレインコート本体１０を簡単に収納できるように構成している。
【００１９】
レインコート本体１０の背部１３真ん中下には、後述する紐体１６を通すための紐引き出し孔１４が穿設されており、さらに、背部１３には別体に形成した袋収納体１５を付着している。すなわち、袋収納体１５の開口縁部の一部が背部１３に連設されている。袋収納体１５は、上方開口した袋構造としており、底部１５ｂには、紐体１６を挿通する孔１５ｃが形成される。図中１５ａは開口部である。
【００２０】
紐体１６は、その両端部をレインコート本体１０の両袖部１１，１１内側の袖口１１ａ，１１ａにそれぞれ固定し、自由端部１６ｂ（紐体の中途部）を各袖部１１，１１内を挿通して、さらに襟部１２に取り付けたリング状の取付部（図示せず）を挿通して背部１３真ん中の紐引き出し孔１４から外部に引き出す。引き出した紐体１６は、袋収納体１５の中を通って底部１５ｂの孔１５ｃから外部に引き出している。
【００２１】
レインコート本体１０の袋収納体１５とは、別体に収納袋１７を形成しており、収納袋１７は、防水機能を備えた袋構造としている。収納袋１７の上部開口部１７ａには、ファスナーを取り付けて、底部１７ｂには、紐体１６を挿通する孔１７ｃを形成している。また、収納袋１７は、レインコート本体１０の着用時に、レインコート本体１０の袋収納体１５内に収納している。
なお、レインコート本体１０の背部には、収納袋１７を付着せずに、収納袋１７を連設してもよい。
【００２２】
［レインコート本体の収納手順］
レインコート本体１０の収納手順について図２を参照しながら説明する。
先ず、レインコート本体１０の背部１３の袋収納体１５から収納袋１７を取り出す。袋収納体１５の底部１５ｂの孔１５ｃに紐体１６を通し、さらに、収納袋１７の底部１７ｂの孔１７ｃに紐体１６を通しておく。
図２（ａ）に示すように、レインコート本体１０の両袖部１１，１１に端部１６ａ，１６ａを固定した紐体１６の自由端部１６ｂが両袖部１１，１１から襟部１２を通って、紐引き出し孔１４から外部へ引き出され、袋収納体１５、収納袋１７の順に引き出されており、紐体１６の自由端部１６ｂを強く引くことで両袖部１１，１１が縮むこととなる。すなわち、両袖部１１，１１に紐体１６の両端部１６ａ，１６ａが固定してあるので、袖部１１が襟部側にひかれて縮むようになっている。
【００２３】
図２（ｂ）に示すように、さらに紐体１６の自由端部１６ｂを引くと襟部１２、胴部の一部が背部１３の紐引き出し孔１４の近傍で縮む。
【００２４】
図２（ｃ）に示すように、袋収納体１５にレインコート本体１０を詰め込む。すなわち、袋収納体１５の開口縁部の一部１５ａのみが背部１３に連設されているので、袋収納体１５内にレインコート本体１０の裾部分を上方に折り返して詰め込むことができる。
このとき、レインコート本体１０を折り返して詰め込まなくても袋収納体１５の底から出ている紐体１６を強く引くことによって、袋収納体１５の中にレインコート本体１０が引きずり込まれる。
【００２５】
図２（ｄ）に示すように、さらに紐体１６の自由端部１６ｂを引っ張り、収納袋１７内にレインコート本体１０入りの袋収納体１５を引きずり込んだ後、収納袋１７の開口部のファスナーを閉める。このように、レインコート本体１０引きずり込んだ後に、袋の口に設けたファスナーを閉めることで、袋の口から水が漏れ出ないようにする。
【００２６】
図２（ｅ）に示すように、収納袋１７を丸める。
【００２７】
図２（ｆ）に示すように、丸めた収納袋１７を総合収納袋１８に収納する。
【００２８】
着用に際しては、上記収納手順と逆の手順を行うことにより、簡単にレインコート本体をひろげ着用することができる。
【００２９】
なお、総合収納袋１８と収納袋１７は、着用時はレインコート本体１０の背部１３に設けた袋収納体１５中に収納しておき、レインコート本体１０を片付ける際に取り出して使用する。
【００３０】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００３１】
１    レインコート１０  レインコート本体
１１  両袖部
１１ａ  袖口
１２  襟部
１３  背部
１４  紐引き出し孔
１５  袋収納体
１５ｂ  底部
１５ｃ  孔
１６  紐体
１６ａ，１６ａ  端部
１６ｂ  自由端部
１７  収納袋
１７ａ  上部開口部
１７ｂ  底部
１７ｃ  孔
１８  総合収納袋
【要約】
【課題】簡単でコンパクトに収納でき、次の使用時にすぐ使えるレインコート収納袋を提供する。
【解決手段】両袖部１１，１１を有した柔軟素材で背部１３に紐引き出し孔を有するレインコート本体１０と、レインコート本体１０とは別体に形成した収納袋１７と両端をレインコート本体１０の両袖部１１，１１に固定し中途部をレインコート本体１０の紐引き出し孔１４から外部に引き出した紐体１６よりなり、しかも紐体１６は収納袋１７の中を通って外部に引き出されているように構成したレインコート収納袋。
【選択図】図１【図１】
0006055145.tif 000002
【図２】
0006055145.tif 000003